(57)【要約】【課題】  髪の表面の毛を切るとき、櫛で髪を上から下にとかすように、髪の表面を滑らせるだけで、髪の表面を容易に切ることができる理容鋏を提供することにある。【解決手段】  動刃が静刃に対し支持され、下方に向かう静刃の切れ刃に対して、動刃の切れ刃が下方から上方に向かって揺動する鋏体構造を備えることを特徴とし、動刃が、切れ刃を有する動刃部と動刃柄部とに分割され、動刃部と動刃柄部とが、それぞれ揺動軸で静刃に回動自在に軸支されると共に、動刃部の揺動軸の切れ刃とは逆方向に突出する動刃部鋏体部と、動刃柄部の揺動軸の動刃部側に突出する動刃柄部鋏体部とが、摺動自在に軸支されて鋏体構造を構成することを特徴とする。【選択図】図１
2018019746.tif 000002
【特許請求の範囲】
【請求項１】
理容の用いられる理容鋏において、
動刃が静刃に対し支持され、
下方に向かう該静刃の切れ刃に対して、該動刃の切れ刃が下方から上方に向かって揺動する鋏体構造を備えることを特徴とする理容鋏。
【請求項２】
前記動刃が、前記切れ刃を有する動刃部と動刃柄部とに分割され、
該動刃部と該動刃柄部とが、それぞれ揺動軸で前記静刃に回動自在に軸支されると共に、
該動刃部の揺動軸の該切れ刃とは逆方向に突出する動刃部鋏体部と、該動刃柄部の揺動軸の該動刃部側に突出する動刃柄部鋏体部とが、摺動自在に軸支されて前記鋏体構造を構成することを特徴とする請求項１記載の理容鋏。
【請求項３】
前記動刃を人力以外で揺動させるための駆動手段を備えることを特徴とする請求項１又は請求項２記載の理容鋏。
【発明の詳細な説明】
【技術分野】
【０００１】
本発明は、理容で用いる理容鋏に関する。
【背景技術】
【０００２】
従来より、理容においては、様々なヘアースタイルが求める中で、理容鋏の使用方法も様々になっている。ここで、図３に示す従来の理容鋏１００は、静刃５０と動刃６０とからなり、静刃５０に動刃６０が、揺動７０で揺動自在に軸支されている。
【０００３】
より具体的には、静刃５０は、切れ刃５２ａを有する静刃部５２と、柄の部分である静刃柄部５４とからなる。静刃柄部５４には、薬指を通す薬指孔部５６と小指を掛ける小指掛け５８が設けられている。また、動刃６０は、切れ刃６２ａを有する動刃部６２と、柄の部分である動刃柄部６４とからなる。動刃柄部６４には、親指を通す母指孔部６６が設けられている。そして、静刃５０と動刃６０とは、互いに、静刃部５２と静刃柄部５４との中間と、動刃部６２と動刃柄部６４との中間とで、揺動軸７０で軸支されている。
【０００４】
従来の理容鋏１００の使用方法としては、図３に示すように、静刃５０を略水平に保った状態で、動刃６０の動刃部５２の切れ刃６２ａを、静刃５０の静刃部５２の切れ刃５２ａに向かって下げるように、動刃６０の動刃部６２を揺動させることにより使用する。
【０００５】
このような従来の理容鋏１００の使いにくさを改善させるために、例えば逆手でも取り扱いやすくした理容鋏が提案されている。例えば、特許文献１の理容鋏は、刃体として、刃部と柄部と指環とが配置されており、少なくとも一方の刃体には、２個以上の指環が柄部の長手方向になる配置で柄部に設けられている。これにより、特許文献１の理容鋏は、逆手に握る状態で指環に指を通す事により、２本の刃体を開いた状態で髪を梳き切るスライドカットの時に理容鋏の姿勢を安定させることができるものである。
【０００６】
また、特許文献２の理美容はさみは、互いにすりあわせ可能な第１の刃および第２の刃と、第１の刃及び第２の刃とを回転可能に軸支している支点部と、指を挿入して第１の刃及び第２の刃の開閉を操作するための第１の指環及び第２の指環とを有し、第１の指環が使用者の親指を掛けられるように成形されており、第１の指環と第１の刃との間に第２の刃が位置し、第１の指環及び第２の指環のそれぞれの形状面における略中心同士を結ぶ線が、第１の刃及び第２の刃の回転面と交差するように構成されている。これにより、特許文献２の理美容はさみは、はさみの機械的な動作と手の運動姿勢とを類似させて、使用者の負担を著しく低減させることができるものである。
【先行技術文献】
【特許文献】
【０００７】
【特許文献１】特開２００３−２０５１８６号公報
【特許文献２】特開２００９−１６０３７５号公報
【発明の概要】
【発明が解決しようとする課題】
【０００８】
しかしながら、従来の理容鋏では、髪の表面を切るときに、表面の毛をすくって切ることの繰り返しで、たとえ持ちやすく工夫された理容鋏であっても、利用方法が不自然で手に負担が掛かるという問題があった。
【０００９】
本発明は、このような事情に鑑みてなされたもので、髪の表面の毛を切るとき、櫛で髪を上から下にとかすように、髪の表面を滑らせるだけで、髪の表面を容易に切ることができる理容鋏を提供することにある。
【課題を解決するための手段】
【００１０】
請求項１記載の理容鋏は、動刃が静刃に対し支持され、下方に向かう静刃の切れ刃に対して、動刃の切れ刃が下方から上方に向かって揺動する鋏体構造を備えることを特徴とする。
【００１１】
請求項２記載の理容鋏は、動刃が、切れ刃を有する動刃部と動刃柄部とに分割され、動刃部と動刃柄部とが、それぞれ揺動軸で静刃に回動自在に軸支されると共に、動刃部の揺動軸の切れ刃とは逆方向に突出する動刃部鋏体部と、動刃柄部の揺動軸の動刃部側に突出する動刃柄部鋏体部とが、摺動自在に軸支されて鋏体構造を構成することを特徴とする。
【００１２】
請求項３記載の理容鋏は、動刃を人力以外で揺動させるための駆動手段を備えることを特徴とする。
【発明の効果】
【００１３】
本願の発明によれば、髪の表面の毛を切るとき、櫛で髪を上から下にとかすように、髪の表面を滑らせるだけで、髪の表面を容易に切ることができる。
【図面の簡単な説明】
【００１４】
【図１】本発明に係る理容鋏の一例を示す説明図である。
【図２】同理容鋏の動作を示す説明図である。
【図３】従来の理容鋏の一例を示す説明図である。
【発明を実施するための形態】
【００１５】
以下、本発明の形態について図面を参照しながら具体的に説明する。図１は、本発明に係る理容鋏の一例を示す説明図である。図２は、同理容鋏の動作を示す説明図である。図１及び図２に示す本願の理容鋏１は、理容で用いる鋏である。
【００１６】
理容鋏１は、基本構造として、動刃２０が静刃１０に対して支持された構造を有している。静刃１０は、一本の刃物体であり、実際に髪に触れて髪を切る部分である切れ刃１２ａを有する静刃部１２と、静刃柄部１４とからなり、静刃柄部１４には、薬指を通す薬指孔部１６と小指を掛ける小指掛け１８が設けられている。動刃２０は、実際に髪に触れて髪を切る部分である切れ刃２２ａを有する動刃部２２と、動刃柄部２４とからなり、動刃柄部２４には、親指を通す母指孔部２６が設けられている。
【００１７】
そして、理容鋏１は、下方に向かう静刃１０の静刃部１２の切れ刃１２ａに対して、動刃２０の動刃部２２の切れ刃２２ａが下方から上方に向かって揺動する鋏体構造４０を備えている。
【００１８】
鋏体構造４０は、動刃２０が、切れ刃２２ａを有する動刃部２２と動刃柄部２４とに分割され、動刃部２２と動刃柄部２４とが、それぞれ揺動軸３０，３２で静刃１０に回動自在に軸支されると共に、動刃部２２の揺動軸３０の切れ刃２２ａとは逆方向に突出する動刃部鋏体部２２ｂと、動刃柄部２４の揺動軸３２の動刃部２２側に突出する動刃柄部鋏体部２４ａとが、摺動自在に摺動連結軸３４で軸支されることにより、構成されている。
【００１９】
尚、動刃柄部鋏体部２４ａには、長手方向に伸びる摺動溝２４ｂが穿設され、この摺動溝２４ｂに摺動自在に設けられた摺動連結軸３４によって、動刃部鋏体部２２ｂと動刃柄部鋏体部２４ａとが、軸支されている。尚、摺動溝２４ｂは、動刃部鋏体部２２ｂの側にあってもよい。
【００２０】
このように構成された理容鋏１の使用方法を説明する。まず、図１に示すように、静刃１０が、略水平になるようにして髪に当てる。そして、動刃２０の動刃柄部２４の母指孔部２６に通した親指を上に上げると、動刃柄部２４が揺動軸３２を中心に揺動し、動刃柄部鋏体部２４ａが下がることになる。
【００２１】
動刃柄部鋏体部２４ａが下がると、摺動連結軸３４が、動刃柄部鋏体部２４ａの摺動溝２４ｂを摺動させられ、動刃部鋏体部２２ｂの揺動連結軸３４側を押し下げることになる。動刃部鋏体部２２ｂの揺動連結軸３４側を押し下げられた動刃部２２は、揺動軸３０を中心に揺動し、動刃部２２の切れ刃２２ａが上昇する。これにより、静刃１０の静刃部１２の切れ刃１２ａと動刃２０の動刃部２２の切れ刃２２ａとで、髪を切ることになる。尚、親指で、動刃柄部２４の母指孔部２６を押し上げると、上述とは逆の動作により、静刃１０の静刃部１２の切れ刃１２ａと動刃２０の動刃部２２の切れ刃２２ａとの間が、開くことになる。
【００２２】
このように、本願発明の理容鋏１は、動刃２０が静刃１０に対し支持され、下方に向かう静刃１０の切れ刃１２ａに対して、動刃２０の切れ刃２２ａが下方から上方に向かって揺動するものである。
【００２３】
このような本願の理容鋏１によれば、髪の表面の毛を切るとき、櫛で髪を上から下にとかすように、髪の表面を滑らせるだけで、髪の表面を容易に切ることができる。また、理容鋏１の持ち方を、従来の理容鋏１００と変える必要がなく、手に掛かる負担も抑えることができる。
【００２４】
尚、本実施の形態の理容鋏１は、人の指で動かすことを前提に説明したが、必ずしも指で動かすのみでなく、例えば、静刃１０に、動刃２０を人力以外で揺動させるための駆動手段を設けるようにしてもよい。駆動手段としては、例えば、電気で駆動させる電動手段がある。
【産業上の利用可能性】
【００２５】
以上のように、本発明によれば、髪の表面の毛を切るとき、櫛で髪を上から下にとかすように、髪の表面を滑らせるだけで、髪の表面を容易に切ることができる理容鋏を提供することができる。
【符号の説明】
【００２６】
１・・・・・理容鋏
１０・・・・静刃
１２・・・・静刃部
１２ａ・・・切れ刃
１４・・・・静刃柄部
１６・・・・薬指孔部
１８・・・・小指掛け
２０・・・・動刃
２２・・・・動刃部
２２ａ・・・切れ刃
２２ｂ・・・動刃部鋏体部
２４・・・・動刃柄部
２４ａ・・・動刃柄部鋏体部
２４ｂ・・・摺動溝
２６・・・・母指孔部
３０・・・・揺動軸
３２・・・・揺動軸
３４・・・・摺動連結軸
４０・・・・鋏体構造
【図１】
2018019746.tif 000003
【図２】
2018019746.tif 000004
【図３】
2018019746.tif 000005